(57)【要約】【課題】  車両の定速巡航装置の動作状態を直観的に把握できる車両用表示装置を提供する。【解決手段】  本発明に係る車両用表示装置Ｍは、車両の走行速度を指針の回動により指示して表示する速度計器部１ｓｐと、車両の定速巡航機能の動作状態を表示する動作状態表示部２と、速度計器部１ｓｐと動作状態表示部２とを表示制御する制御部３と、定速巡航機能の設定車速を設定する操作部５と、を備えた車両用表示装置であって、動作状態表示部２は、設定車速を表示する設定車速表示部２４と、設定車速の選択肢を表示する設定車速選択肢表示部２５と、を有し、制御部３は、操作部５により設定車速が選択されると、設定車速部表示部２４を覆うように設定車速選択肢表示部２５を表示させる。  このように構成することで、設定車速の設定がより直観的に把握できる表示となる。【選択図】  図３
2018118554.tif 000002
【特許請求の範囲】
【請求項１】
車両の走行速度を指針の回動により指示して表示する速度計器部と、
前記車両の定速巡航機能の動作状態を表示する動作状態表示部と、
前記速度計器部と前記動作状態表示部とを表示制御する制御部と、
前記定速巡航機能の設定車速を設定する操作部と、
を備えた車両用表示装置であって、
前記動作状態表示部は、前記設定車速を表示する設定車速表示部と、前記設定車速の選択肢を表示する設定車速選択肢表示部と、を有し、
前記制御部は、前記操作部により前記設定車速が選択されると、前記設定車速表示部を覆うように前記設定車速選択肢表示部を表示させる、
ことを特徴とする車両用表示装置。
【請求項２】
前記設定車速選択肢表示部の前記設定車速の選択肢は、前記速度計器部の外周を沿うように表示される、
ことを特徴とする請求項１に記載の車両用表示装置。
【請求項３】
前記設定車速選択肢表示部の前記設定車速の選択肢は、増減方向が前記速度計器部の増減方向と一致するように表示される、
ことを特徴とする請求項２に記載の車両用表示装置。
【請求項４】
前記制御部は、前記設定車速選択肢表示部が前記設定車速表示部を覆うように表示させるにあたって、前記設定車速の選択肢を回転表示させ、
前記制御部は、前記操作部により前記設定車速を増加させる場合と減少させる場合とで前記設定車速の選択肢の回転方向を反転させる、
ことを特徴とする請求項１乃至３のいずれか１項に記載の車両用表示装置。
【請求項５】
前記車両が走行する道路の制限速度を表示する制限速度表示部を有し、
前記制御部は、前記制限速度表示部を前記設定車速選択肢表示部によって覆われず前記設定車速表示部と隣接する位置に表示させる、
ことを特徴とする請求項１乃至３のいずれか１項に記載の車両用表示装置。
【発明の詳細な説明】
【技術分野】
【０００１】
本発明は、車両の定速巡航装置の動作状態を表す車両用表示装置に関する。
【背景技術】
【０００２】
車両の定速巡航装置の動作状態を表す車両用表示装置として特許文献１に開示されたものがある。この車両用表示装置は、車両の走行速度を表す速度計器部内に定速巡航装置の設定速度を表示するものである。
【先行技術文献】
【特許文献】
【０００３】
【特許文献１】特開２０００−１１８２６３
【発明の概要】
【発明が解決しようとする課題】
【０００４】
しかしながら、定速巡航装置の設定速度を設定する場合において直観的に動作状態を把握させる点で改善の余地があった。
【０００５】
本発明は、上述した課題に鑑みてなされたものであり、車両の定速巡航装置の動作状態を直観的に把握できる車両用表示装置を提供することを目的とする。
【課題を解決するための手段】
【０００６】
本発明に係る車両用表示装置は、
車両の走行速度を指針の回動により指示して表示する速度計器部と、
前記車両の定速巡航機能の動作状態を表示する動作状態表示部と、
前記速度計器部と前記動作状態表示部とを表示制御する制御部と、
前記定速巡航機能の設定車速を設定する操作部と、
を備えた車両用表示装置であって、
前記動作状態表示部は、前記設定車速を表示する設定車速表示部と、前記設定車速の選択肢を表示する設定車速選択肢表示部と、を有し、
前記制御部は、前記操作部により前記設定車速が選択されると、前記設定車速表示部を覆うように前記設定車速選択肢表示部を表示させる。
【０００７】
本発明に係る車両用表示装置の
前記設定車速選択肢表示部の前記設定車速の選択肢は、前記速度計器部の外周を沿うように表示される、
ように構成することが好ましい。
【０００８】
本発明に係る車両用表示装置の
前記設定車速選択肢表示部の前記設定車速の選択肢は、増減方向が前記速度計器部の増減方向と一致するように表示される、
ように構成することが好ましい。
【０００９】
本発明に係る車両用表示装置の
前記制御部は、前記設定車速選択肢表示部が前記設定車速表示部を覆うように表示させるにあたって、前記設定車速の選択肢を回転表示させ、
前記制御部は、前記操作部により前記設定車速を増加させる場合と減少させる場合とで前記設定車速の選択肢の回転方向を反転させる、
ように構成することが好ましい。
【００１０】
本発明に係る車両用表示装置の
前記車両が走行する道路の制限速度を表示する制限速度表示部を有し、
前記制御部は、前記制限速度表示部を前記設定車速選択肢表示部によって覆われず前記設定車速表示部と隣接する位置に表示させる、
ように構成することが好ましい。
【発明の効果】
【００１１】
本発明によれば、車両の定速巡航装置の動作状態を直観的に把握できる車両用表示装置を提供できる。
【図面の簡単な説明】
【００１２】
【図１】本発明の実施形態である車両用表示装置の正面図。
【図２】同車両用表示装置の電気的構成図。
【図３】同車両用表示装置の設定車速を設定する際の表示の流れを表す図。
【図４】同車両用表示装置の設定車速の選択肢を表示する際の表示の流れを表す図。
【図５】同車両用表示装置の変形例を表す図。
【発明を実施するための形態】
【００１３】
本発明の実施形態である車両用表示装置Ｍを添付図面を参照して以下に説明する。
【００１４】
車両用表示装置Ｍは、図１，図２に示すように、速度計器部１ｓｐとエンジン回転計器部１ｔａと画像表示部２と制御部３とを備える。
【００１５】
車両用表示装置Ｍは、車両情報通信部４と操作部５と電気的に接続している。車両情報通信部４は、コントローラエリアネットワークなどの通信路であり、車両の走行速度、エンジン回転数、定速巡航装置の動作状態、走行道路の制限速度などの各種車両情報を車両用表示装置Ｍに送信する。
【００１６】
操作部５は定速巡航装置の設定車速を選択し変更することができるスイッチである。操作部５は、増加スイッチ５ｕｐと減少スイッチ５ｄｎと現車速設定スイッチ５ｓｔを操作スイッチを有する。増加スイッチ５ｕｐは定速巡航装置の設定車速を所定量増加させるスイッチである。減少スイッチ５ｄｎは定速巡航装置の設定車速を所定量減少させるスイッチである。現車速設定スイッチ５ｓｔは現在の走行速度を定速巡航装置の設定車速として設定するスイッチである。
【００１７】
速度計器部１ｓｐは、車両の走行速度の指標目盛が形成された表示板と、この表示板上を回動する指針と、を有する機械式計器である。速度計器部１ｓｐは、制御部３に制御されて表示板上の所定の指標目盛の位置を指示することにより、車両の走行速度を表示する。
【００１８】
エンジン回転計器部１ｔａは、車両のエンジン回転数の指標目盛が形成された表示板と、この表示板上を回動する指針と、を有する機械式計器である。エンジン回転計器部１ｔａは、制御部３に制御されて表示板上の所定の指標目盛の位置を指示することにより、車両のエンジン回転数を表示する。
【００１９】
画像表示部２は、ＴＦＴ( Thin Film Transistor )型液晶表示器であり、制御部３に制御されて所定の画像を表示画面に表示する。画像表示部２の左右には速度計器部１ｓｐとエンジン回転計器部１ｔａが配置され、表示画面の一部が速度計器部１ｓｐとエンジン回転計器部１ｔａによって隠されている。
【００２０】
画像表示部２の表示画面には、定速巡航装置の動作状態と走行道路の制限速度が画像として表示される。画像表示部２には、図３に示すように、前車表示部２１と設定車間表示部２２と車線表示部２３と設定車速表示部２４と設定車速選択肢表示部２５と制限速度表示部２６が表示される。
【００２１】
前車表示部２１は、定速巡航時に自車の前方の車両の検出状態を表す表示部である。設定車間表示部２２は、定速巡航時に自車と前方の車両との車間距離を表す表示部である。車線表示部２３は、自車の走行道路の検出状態を表す表示部である。設定車速表示部２４は、定速巡航時に自車が走行する走行速度の設定値を表す表示部である。設定車速選択肢表示部２５は、定速巡航時に自車が走行する走行速度の設定を変更する際の選択肢を表す表示部である。制限速度表示部２６は、走行道路の制限速度（規制速度）を表す表示部である。
【００２２】
また、制限速度表示部２６と設定車速表示部２４と速度計器部１ｓｐは、車線表示部２３から制限速度表示部２６、設定車速表示部２４、速度計器部１ｓｐの順に配置されている。これにより、車線表示部２３で表示されている現在の走行道路が制限速度表示部２６で表された制限速度環境下で、設定車速表示部２４で表された速度を目標値として速度計器部１ｓｐで表された速度で走行している、という関連付いた情報として直感的に把握できる。
【００２３】
制御部３は、マイクロコントローラなどの制御回路である。制御部３は、車両情報が車両情報通信部４から入力されると、速度計器部１ｓｐとエンジン回転計器部１ｔａと画像表示部２に表示させる。
【００２４】
制御部３は、操作部５により定速巡航装置の設定車速を選択して変更する際においては、図３に示すように設定車速表示部２４を覆うように設定車速選択肢表示部２５を出現させる。設定車速選択肢表示部２５は、枠部２５ａと選択肢部２５ｂと選択部２５ｃから主に構成される。
【００２５】
制御部３は、操作部５により定速巡航装置の設定車速を変更すると、図３（ａ）から（ｃ）の順に表示が切り替えて設定車速選択肢表示部２５を所定時間表示する。制御部３は図３（ｂ）に示すように枠部２５ａを速度計器部１ｓｐから設定車速表示部２４に向かって枠部２５ａが迫り出すように出現させ、次に枠部２５ａ内に選択肢部２５ｂと選択部２５ｃを表示させる。また、制御部３は、操作部５が所定時間操作されないと、図３（ｃ）から（ａ）の順に表示を切り替えて設定車速選択肢表示部２５の表示を終了する。これにより、操作部５により選択が切り替わる設定車速選択肢部２５で表示される数値が設定車速表示部２４で表示される数値を設定するものであることが直感的に把握できる。
【００２６】
枠部２５ａは、車速計器部１ｓｐの同心円状の枠である。
選択肢部２５ｂは、設定車速の選択肢を複数提示するものであり、これら選択肢は車速計器部１ｓｐの外周に沿って並び、さらに、車速計器部１ｓｐの増減方向と一致する並び（時計回りが増加方向、反時計回りが減少方向）となっている。このように、車速計器部１ｓｐの増減方向と選択肢部２５ｂの増減方向を一致させることで両者が表す数値が同じ指標の速度であることが直感的に把握できる。
また、選択部２５ｃは現在選択されている設定車速の選択肢を表す。
【００２７】
制御部３は、操作部５の操作による設定車速の増減に応じて、図４に示すように設定車速選択肢表示部２５の出現演出を切り替える。操作部５の増加スイッチ５ｕｐあるいは現車速設定スイッチ５ｓｔによって設定車速を増加させる操作をした場合においては、図３（ａ）、図３（ｂ）、図４（ｄ）、図３（ｃ）の順に示すように、車速計器部１ｓｐの増加方向（時計回り方向）に選択肢部２５ｂを回転表示させる。また、操作部５の減少スイッチ５ｄｎあるいは現車速設定スイッチ５ｓｔによって設定車速を減少させる操作をした場合においては、図３（ａ）、図３（ｂ）、図４（ｅ）、図３（ｃ）の順に示すように、車速計器部１ｓｐの減少方向（反時計回り方向）に選択肢部２５ｂを回転表示させる。このように、選択肢部２５ｂが車速計器部１ｓｐの増減方向に一致するように回転表示することで設定車速が増加あるいは減少する操作をしたことが直感的に把握できる。
【００２８】
以上のように、本発明に係る車両用表示装置Ｍは、車両の走行速度を指針の回動により指示して表示する速度計器部１ｓｐと、車両の定速巡航機能の動作状態を表示する動作状態表示部２と、速度計器部１ｓｐと動作状態表示部２とを表示制御する制御部３と、定速巡航機能の設定車速を設定する操作部５と、を備えた車両用表示装置であって、動作状態表示部２は、設定車速を表示する設定車速表示部２４と、設定車速の選択肢を表示する設定車速選択肢表示部２５と、を有し、制御部３は、操作部５により設定車速が選択されると、設定車速部表示部２４を覆うように設定車速選択肢表示部２５を表示させる。
このように構成することで、設定車速の設定がより直観的に把握できる表示となる。
【００２９】
以上、本発明に係る車両用表示装置Ｍを説明した。本発明は上述した実施形態（図面の内容も含む）によって限定されず、本発明の主旨に従う範囲で実施形態に変更（構成要素の削除も含む）をしてもよい。
【００３０】
例えば、速度計器部１ｓｐとエンジン回転計部１ｔａの位置は図５に示すように左右逆転して構成してもよい。この場合においても、選択肢部２５ｂは、車速計器部１ｓｐの外周に沿って並び、さらに、車速計器部１ｓｐの増減方向と一致する並び（時計回りが増加方向、反時計回りが減少方向）とすることが好ましい。
【００３１】
また、設定車速選択肢表示部２５は、図５に示すように目盛部２５ｄを有するように構成してもよい。
【００３２】
また、設定車速選択肢表示部２５の選択部２５ｃは、図形に限らず選択肢部２５ｂの数値の輝度や色を変化させるものであってもよいし、選択肢部２５ｂの周囲の輝度や色を変化させて所定の選択肢が選択されていることを表すようにしてもよい。
【産業上の利用可能性】
【００３３】
本発明は、車両に搭載される車両情報を表示する計器に好適である。
【符号の説明】
【００３４】
Ｍ    ：車両用表示装置
１ｓｐ：速度計器部
１ｔａ：エンジン回転計器部
２    ：画像表示部（動作状態表示部）
２１  ：前車表示部
２２  ：設定車間表示部
２３  ：車線表示部
２４  ：設定車速表示部
２５  ：設定車速選択肢表示部
２５ａ：枠部
２５ｂ：選択肢部
２５ｃ：選択部
２５ｄ：目盛部
２６  ：制限速度表示部
【図１】
2018118554.tif 000003
【図２】
2018118554.tif 000004
【図３】
2018118554.tif 000005
【図４】
2018118554.tif 000006
【図５】
2018118554.tif 000007